(57)【要約】【課題】バッテリーロック装置の構造を改善して、携帯端末機を落とすなどの外部衝撃が加えられても携帯端末機本体からバッテリーが分離してしまうことを防止できる携帯端末機を提供する。【解決手段】バッテリー収容部８を有する携帯端末機本体２と、前記バッテリー収容部に収容されるバッテリー４と、前記携帯端末機本体の後面に装着されるバッテリーカバー６と、前記バッテリーを前記携帯端末機本体に固定させるバッテリーロック装置とを有して構成され、前記バッテリーロック装置は、前記携帯端末機本体のバッテリー収容部の両側面にそれぞれ形成される係止突条３２と、前記バッテリーカバーの両内側面から突出し、前記係止突条にスライド結合される係止リブ３４と、前記バッテリー収容部の両側面から突出し、前記係止リブが前記係止突条から離脱することを防止する離脱防止突起３６とを有して構成される。【選択図】図１
2005032726.tif 000002
【特許請求の範囲】
【請求項１】
バッテリー収容部を有する携帯端末機本体と、前記バッテリー収容部に収容されるバッテリーと、前記携帯端末機本体の後面に装着されるバッテリーカバーと、前記バッテリーを前記携帯端末機本体に固定させるバッテリーロック装置とを有して構成され、
前記バッテリーロック装置は、前記携帯端末機本体のバッテリー収容部の両側面にそれぞれ形成される係止突条と、
前記バッテリーカバーの両内側面から突出し、前記係止突条にスライド結合される係止リブと、
前記バッテリー収容部の両側面から突出し、前記係止リブが前記係止突条から離脱することを防止する離脱防止突起とを有して構成されることを特徴とする携帯端末機。
【請求項２】
前記係止突条は、前記バッテリー収容部の両側面から垂直方向に突出し、その端部が前記バッテリー収容部の外方に折曲するように形成されることを特徴とする請求項１記載の携帯端末機。
【請求項３】
前記係止リブは、前記バッテリーカバーの両内側面からそれぞれ内方に突出し、前記係止突条に係止される第１係止部と、
前記第１係止部の端部から下方に折曲し、前記離脱防止突起の側面に支持される第２係止部とから構成されることを特徴とする請求項１記載の携帯端末機。
【請求項４】
前記離脱防止突起は、前記携帯端末機の後面の両縁部から前記係止突条と所定間隔を隔てて突出し、前記係止リブの第２係止部を支持して前記係止リブが前記係止突条から分離されることを防止することを特徴とする請求項３記載の携帯端末機。
【請求項５】
バッテリー収容部を有する携帯端末機本体と、前記バッテリー収容部に収容されるバッテリーと、前記携帯端末機本体の後面に装着されるバッテリーカバーと、前記バッテリーを前記携帯端末機本体に固定させるバッテリーロック装置とを有して構成され、
前記バッテリーロック装置は、前記バッテリー収容部の両側面から突出したロックフックと、
前記バッテリーの両側面から突出し、前記ロックフックにロックされるロック突起と、
前記バッテリーカバーの両内側面に形成され、前記ロックフックが前記ロック突起から離脱することを防止する支持リブとを有して構成されることを特徴とする携帯端末機。
【請求項６】
前記支持リブは、前記バッテリーカバーの内側面から内方に突出し、前記ロックフックと互いに対向して配置されることを特徴とする請求項５記載の携帯端末機。
【請求項７】
前記ロックフックと支持リブとの間隔は、前記ロックフックとロック突起とがオーバーラップする間隔より小さく形成されることを特徴とする請求項５記載の携帯端末機。
【請求項８】
前記ロックフックとロック突起とがオーバーラップする間隔は０．４ｍｍで、前記支持リブとロックフックとの間隔は０．２ｍｍであることを特徴とする請求項５記載の携帯端末機。
【請求項９】
バッテリー収容部を有する携帯端末機本体と、前記バッテリー収容部に収容されるバッテリーと、前記携帯端末機本体の後面に装着されるバッテリーカバーと、前記バッテリーを前記携帯端末機本体に固定させるバッテリーロック装置とを有して構成され、
前記バッテリーロック装置は、前記バッテリー収容部の両側面から突出したロックフックと、前記バッテリーの両側面から突出し、前記ロックフックにロックされるロック突起と、前記バッテリーカバーの両内側面に形成され、前記ロックフックが前記ロック突起から離脱することを防止する支持リブとを有して構成される第２ロック部と、
前記携帯端末機本体のバッテリー収容部の両側面にそれぞれ形成される係止突条と、前記バッテリーカバーの両内側面から突出し、前記係止突条にスライド結合される係止リブと、前記バッテリー収容部の両側面から突出し、前記係止リブが前記係止突条から離脱することを防止する離脱防止突起とを有して構成される第３ロック部とを有して構成されることを特徴とする携帯端末機。
【請求項１０】
前記支持リブは、前記バッテリーカバーの内側面から内方に所定幅だけ突出し、前記ロックフックと互いに対向して配置されることを特徴とする請求項９記載の携帯端末機。
【請求項１１】
前記ロックフックと支持リブとの間隔は、前記ロックフックとロック突起とがオーバーラップする間隔より小さく形成されることを特徴とする請求項９記載の携帯端末機。
【請求項１２】
前記ロックフックとロック突起とがオーバーラップする間隔は０．４ｍｍで、前記支持リブとロックフックとの間隔は０．２ｍｍであることを特徴とする請求項９記載の携帯端末機。
【請求項１３】
前記係止突条は、前記バッテリー収容部の両側面から垂直方向に突出し、その端部が前記バッテリー収容部の外方に直角に折曲するように形成されることを特徴とする請求項９記載の携帯端末機。
【請求項１４】
前記係止リブは、前記バッテリーカバーの両内側面からそれぞれ内方に突出し、前記係止突条に係止される第１係止部と、
前記第１係止部の端部から下方に折曲し、前記離脱防止突起の側面に支持される第２係止部とから構成されることを特徴とする請求項９記載の携帯端末機。
【請求項１５】
前記離脱防止突起は、前記携帯端末機の後面の両縁部から前記係止突条と所定間隔を隔てて突出し、前記係止リブの第２係止部を支持して前記係止リブが前記係止突条から分離されることを防止することを特徴とする請求項１４記載の携帯端末機。
【発明の詳細な説明】
【技術分野】
【０００１】
本発明は、携帯端末機に関し、詳しくは、外部衝撃が加えられたとき、携帯端末機本体からバッテリーが分離されることを防止できる携帯端末機に関するものである。
【背景技術】
【０００２】
一般に、携帯端末機は、携帯が容易に小型化し、場所及び距離に制約を受けることなく通話またはデータ交換を行うことができる無線通信機器であって、産業の発達とともに情報化社会を追求している近来は、重要な通信手段としてその普及が広がっている。
【０００３】
図５は、従来の携帯端末機を示す分解斜視図であり、図６及び図７は、図５の携帯端末機のバッテリーと端末機本体間のロック構造を示す部分断面図と、図５の携帯端末機のバッテリーカバーと端末機本体間のロック構造を示す部分断面図である。
従来の携帯端末機は、後面にバッテリー収容部１０２が形成される携帯端末機本体１０４と、バッテリー収容部１０２に装着されて携帯端末機に電源を供給するバッテリー１０６と、携帯端末機本体１０４に着脱可能に締結されてバッテリー１０６を保護するバッテリーカバー１０８と、バッテリー１０６を携帯端末機本体１０４にロックさせるロック装置とから構成される（例えば、特許文献１参照）。
【０００４】
ロック装置は、バッテリーカバー１０８と携帯端末機本体１０４間に形成され、バッテリーカバー１０８を携帯端末機本体１０４に着脱可能にロックさせる第１ロック部と、バッテリー１０６と携帯端末機本体１０４間に形成され、バッテリー１０６をバッテリー収容部１０２に固定させる第２ロック部と、バッテリーカバー１０８を携帯端末機本体１０４にスライド結合させる第３ロック部とから構成される。
【０００５】
第１ロック部は、バッテリーカバー１０８の上部に形成されるロックリブ１２０と、携帯端末機本体１０４の後面に設置されて使用者により操作されるボタン１２２と、ボタン１２２の操作によってロックリブ１２０とロックまたはアンロックされるロッカー１２４とから構成される。
【０００６】
第２ロック部は、図６に示すように、バッテリー収容部１０２の両側縁部からそれぞれ垂直に突出するロックフック１１０と、バッテリー１０６の両側面から突出され、ロックフック１１０にそれぞれ締結されるロック突起１１２とから構成される。
このような第２ロック部は、バッテリー１０６をバッテリー収容部１０２に装着させると、バッテリー１０６に形成されたロック突起１１２がバッテリー収容部１０２に形成されたロックフック１１０にロックされることで、バッテリー１０６がバッテリー収容部１０２に収容された状態を維持する。このとき、ロックフック１１０は、自身の弾性力によりロック突起１１２をロックした状態を維持する。
【０００７】
第３ロック部は、図７に示すように、バッテリー収容部１０２の両側縁部から垂直方向に突出し、その端部が外方に折曲した係止突条１３０と、バッテリーカバー１０８の両内側面から内方に突出し、係止突条１３０に係止される係止リブ１３２とから構成される。
このような第３ロック部は、バッテリーカバー１０８を携帯端末機本体１０４のバッテリー収容部１０２に装着させた後、バッテリーカバー１０８を携帯端末機の長手方向にスライドさせると、バッテリーカバー１０８の係止リブ１３２が携帯端末機本体１０４の係止突条１３０に係止されることで、バッテリーカバー１０８が携帯端末機本体１０４に固定される。
【０００８】
しかしながら、このような従来の携帯端末機の第２ロック部は、図６に示すように、ロックフック１１０とロック突起１１２とがオーバーラップする間隔Ｐよりもロックフック１１０とバッテリーカバー１０８の内側面間の間隔Ｑが大きいため、携帯端末機を落とすなどの外部衝撃が発生すると、ロックフック１１０が弾性変形してロック突起１１２から離脱され、これにより、バッテリー１０６がバッテリー収容部１０２から離脱してしまい、電源オフによる回路の異常が発生するという問題点があった。
【０００９】
また、従来の携帯端末機の第３ロック部は、図７に示すように、携帯端末機本体１０４の係止突条１３０にバッテリーカバー１０８の係止リブ１３２が係止されて固定された状態を維持しているが、携帯端末機を落とすなどの外部衝撃が発生すると、バッテリーカバー１０８の両側面に弾性変形による隙間ができて係止突条１３０から係止リブ１３２が離脱することで、携帯端末機本体１０４からバッテリーカバー１０８が分離してしまい、これにより、バッテリー１０６がバッテリー収容部１０２から分離してしまうという問題点があった。
【００１０】
【特許文献１】特開２００１−２８５４３１号公報
【発明の開示】
【発明が解決しようとする課題】
【００１１】
そこで、本発明は上記従来の携帯端末機における問題点に鑑みてなされたものであって、本発明の目的は、バッテリーロック装置の構造を改善して、携帯端末機を落とすなどの外部衝撃が加えられても携帯端末機本体からバッテリーが分離してしまうことを防止できる携帯端末機を提供することにある。
【課題を解決するための手段】
【００１２】
上記目的を達成するためになされた本発明による携帯端末機は、バッテリー収容部を有する携帯端末機本体と、前記バッテリー収容部に収容されるバッテリーと、前記携帯端末機本体の後面に装着されるバッテリーカバーと、前記バッテリーを前記携帯端末機本体に固定させるバッテリーロック装置とを有して構成され、前記バッテリーロック装置は、前記携帯端末機本体のバッテリー収容部の両側面にそれぞれ形成される係止突条と、前記バッテリーカバーの両内側面から突出し、前記係止突条にスライド結合される係止リブと、前記バッテリー収容部の両側面から突出し、前記係止リブが前記係止突条から離脱することを防止する離脱防止突起とを有して構成されることを特徴とする。
【００１３】
前記係止突条は、前記バッテリー収容部の両側面から垂直方向に突出し、その端部が前記バッテリー収容部の外方に折曲するように形成されることを特徴とする。
前記係止リブは、前記バッテリーカバーの両内側面からそれぞれ内方に突出し、前記係止突条に係止される第１係止部と、前記第１係止部の端部から下方に折曲し、前記離脱防止突起の側面に支持される第２係止部とから構成されることを特徴とする。
前記離脱防止突起は、前記携帯端末機の後面の両縁部から前記係止突条と所定間隔を隔てて突出し、前記係止リブの第２係止部を支持して前記係止リブが前記係止突条から分離されることを防止することを特徴とする。
【００１４】
また、上記目的を達成するためになされた本発明による携帯端末機は、バッテリー収容部を有する携帯端末機本体と、前記バッテリー収容部に収容されるバッテリーと、前記携帯端末機本体の後面に装着されるバッテリーカバーと、前記バッテリーを前記携帯端末機本体に固定させるバッテリーロック装置とを有して構成され、前記バッテリーロック装置は、前記バッテリー収容部の両側面から突出したロックフックと、前記バッテリーの両側面から突出し、前記ロックフックにロックされるロック突起と、前記バッテリーカバーの両内側面に形成され、前記ロックフックが前記ロック突起から離脱することを防止する支持リブとを有して構成されることを特徴とする。
【００１５】
前記支持リブは、前記バッテリーカバーの内側面から内方に突出し、前記ロックフックと互いに対向して配置されることを特徴とする。
前記ロックフックと支持リブとの間隔は、前記ロックフックとロック突起とがオーバーラップする間隔より小さく形成されることを特徴とする。
前記ロックフックとロック突起とがオーバーラップする間隔は０．４ｍｍで、前記支持リブとロックフックとの間隔は０．２ｍｍであることを特徴とする。
【００１６】
また、上記目的を達成するためになされた本発明による携帯端末機は、バッテリー収容部を有する携帯端末機本体と、前記バッテリー収容部に収容されるバッテリーと、前記携帯端末機本体の後面に装着されるバッテリーカバーと、前記バッテリーを前記携帯端末機本体に固定させるバッテリーロック装置とを有して構成され、前記バッテリーロック装置は、前記バッテリー収容部の両側面から突出したロックフックと、前記バッテリーの両側面から突出し、前記ロックフックにロックされるロック突起と、前記バッテリーカバーの両内側面に形成され、前記ロックフックが前記ロック突起から離脱することを防止する支持リブとを有して構成される第２ロック部と、前記携帯端末機本体のバッテリー収容部の両側面にそれぞれ形成される係止突条と、前記バッテリーカバーの両内側面から突出し、前記係止突条にスライド結合される係止リブと、前記バッテリー収容部の両側面から突出し、前記係止リブが前記係止突条から離脱することを防止する離脱防止突起とを有して構成される第３ロック部とを有して構成されることを特徴とする。
【発明の効果】
【００１７】
本発明に係る携帯端末機によれば、ロックフックがバッテリーカバーに形成された支持リブに支持されることで、外部衝撃などによりロックフックがロック突起から離脱されないため、バッテリーが携帯端末機本体から分離してしまうことを防止できるという効果がある。
また、携帯端末機本体に形成された離脱防止突起に係止リブの第２係止部が支持されることで、外部衝撃により係止リブが係止突条から離脱されないため、バッテリーが携帯端末機本体から離脱してしまうことを防止し、これにより、回路オフによる携帯端末機の回路部品の損傷を防止できるという効果がある。
【発明を実施するための最良の形態】
【００１８】
次に、本発明に係る携帯端末機を実施するための最良の形態の具体例を図面を参照しながら説明する。
【実施例】
【００１９】
図１は、本発明の実施例に係る携帯端末機を示す分解斜視図である。
本発明に係る携帯端末機は、回路基板が内蔵され前面に携帯端末機を操作するための各種作動ボタンが設けられる携帯端末機本体２と、携帯端末機本体２の後面に形成されたバッテリー収容部８と、バッテリー収容部８に収容されるバッテリー４と、携帯端末機本体２の後面に着脱可能に装着されてバッテリー４を保護するバッテリーカバー６と、バッテリー４を携帯端末機本体２にロックさせるバッテリーロック装置とから構成される。
【００２０】
バッテリーロック装置は、携帯端末機本体２の後面とバッテリーカバー６の一側面間に形成され、バッテリーカバー６を携帯端末機本体２に着脱可能に締結する第１ロック部１０と、バッテリー収容部８の両側縁部とバッテリー４の両側面間に形成され、バッテリー４をバッテリー収容部８に収容された状態に維持させる第２ロック部２０と、バッテリーカバー６の両側面とバッテリー収容部８の両側面間に形成され、バッテリーカバー６を携帯端末機本体２にスライド結合させる第３ロック部３０とから構成される。
また、第１ロック部１０は、バッテリーカバー６の上側から突出される二つのロックリブ１２と、携帯端末機本体２の後面に設置されて使用者により操作されるボタン１４と、ボタン１４に連結されボタン１４の操作によってロックリブ１２とロックまたはアンロックされるロッカー１６とから構成される。
【００２１】
図２（ａ）及び（ｂ）は、図１の携帯端末機の第２ロック部及び第３ロック部の構造を示す部分斜視図である。
又、図３は、図１の携帯端末機のバッテリーカバーと携帯端末機本体間のロック構造を示す部分断面図であり、図４は図１の携帯端末機のバッテリーと携帯端末機本体間のロック構造を示す部分断面図である。
第２ロック部２０は、図３に示すように、携帯端末機本体２のバッテリー収容部８の両側面から垂直方向に突出するロックフック２２と、バッテリー４の両側面から突出し、ロックフック２２にロックされるロック突起２４と、バッテリーカバー６の両内側面に形成され、ロックフック２２がロック突起２４から離脱することを防止する支持リブ２６とから構成される。
ロックフック２２は、自身の弾性力によりロック突起２４に締結された状態を維持する。
【００２２】
支持リブ２６は、バッテリーカバー６の内側面から内方に所定幅だけ突出し、ロックフック２２と対向して配置される。
ここで、ロックフック２２と支持リブ２６との間隔Ｔは、ロックフック２２とロック突起２４とがオーバーラップする間隔Ｓよりも小さく形成される。
即ち、ロックフック２２とロック突起２４とがオーバーラップする間隔Ｓが０．４ｍｍで、支持リブ２６とロックフック２２との間隔が０．２ｍｍであるため、外部衝撃によりロックフック２２が弾性変形してもロックフック２２の変形量が０．２ｍｍ以下であるので、ロックフック２２がロック突起２４から離脱してしまうことはない。
【００２３】
第３ロック部３０は、図４に示すように、携帯端末機本体２のバッテリー収容部８の両側面にそれぞれ形成される係止突条３２と、バッテリーカバー６の両内側面から突出し、係止突条３２に係止される係止リブ３４と、バッテリー収容部８の両側面から突出し、係止リブ３４が係止突条３２から離脱することを防止する離脱防止突起３６とから構成される。
ここで、係止突条３２は、バッテリー収容部８の両側面から垂直方向に突出し、その端部がバッテリー収容部８の外方に直角に折曲するように形成される。
【００２４】
係止リブ３４は、バッテリーカバー６の両内側面からそれぞれ内方に突出し、係止突条３２に係止される第１係止部３８と、第１係止部３８の端部から下方に折曲され、離脱防止突起３６の側面に支持される第２係止部４０とから構成される。
離脱防止突起３６は、携帯端末機本体２の後面の両側縁部に係止突条３２と所定間隔を隔てて上方に所定幅だけ突出され、係止リブ３４の第２係止部４０を支持することで、係止リブ３４が係止突条３２から分離してしまうことを防止する。
【００２５】
以下、このように構成された本発明に係る携帯端末機の組立工程及び効果を図１〜図４を参照して説明する。
まず、携帯端末機本体２の後面に形成されたバッテリー収容部８にバッテリー４を装着させると、バッテリー４に形成されたロック突起２４がバッテリー収容部８の両側面に形成されたロックフック２２にロックされる。
このとき、ロックフック２２がバッテリーカバー６に形成された支持リブ２６に支持されることで、外部衝撃などによりロックフック２２がロック突起２４から離脱することがないため、バッテリー４が携帯端末機本体２から分離してしまうことが防止される。
【００２６】
そして、バッテリー４が装着された携帯端末機本体２の後面にバッテリーカバー６を載置して携帯端末機の長手方向にバッテリーカバー６をスライドさせると、バッテリーカバー６に形成された係止リブ３４の第１係止部３８が端末機本体２のバッテリー収容部８の両側面に形成された係止突条３２に係止され、バッテリーカバー６に形成されたロックリブ１２が携帯端末機本体２に装着されたロッカー１６にロックされる。
このとき、携帯端末機本体２に形成された離脱防止突起３６に係止リブ３４の第２係止部４０が支持されることで、外部衝撃により係止リブ３４が係止突条３２から離脱することがないため、バッテリー４が携帯端末機本体２から離脱することが防止され、これにより、回路オフによる携帯端末機の回路部品の損傷が防止される。
【００２７】
尚、本発明は、上述の実施例に限られるものではない。本発明の技術的範囲から逸脱しない範囲内で多様に変更実施することが可能である。
【図面の簡単な説明】
【００２８】
【図１】本発明の実施例に係る携帯端末機を示す分解斜視図である。
【図２】図１の携帯端末機の第２ロック部及び第３ロック部の構造を示す部分斜視図であり、（ａ）は第２ロック部、（ｂ）は第３ロック部である。
【図３】図１の携帯端末機のバッテリーカバーと携帯端末機本体間のロック構造を示す部分断面図である。
【図４】図１の携帯端末機のバッテリーと携帯端末機本体間のロック構造を示す部分断面図である。
【図５】従来の携帯端末機を示す分解斜視図である。
【図６】図５の携帯端末機のバッテリーと携帯端末機本体間のロック構造を示す部分断面図である。
【図７】図５の携帯端末機のバッテリーカバーと携帯端末機本体間のロック構造を示す部分断面図である。
【符号の説明】
【００２９】
２        携帯端末機本体
４        バッテリー
６        バッテリーカバー
８        バッテリー収容部
１０      第１ロック部
１２      ロックリブ
１４      ボタン
１６      ロッカー
２０      第２ロック部
２２      ロックフック
２４      ロック突起
２６      支持リブ
３０      第３ロック部
３２      係止突条
３４      係止リブ
３６      離脱防止突起
３８      第１係止部
４０      第２係止部
【図１】
2005032726.tif 000003
【図２】
2005032726.tif 000004
【図３】
2005032726.tif 000005
【図４】
2005032726.tif 000006
【図５】
2005032726.tif 000007
【図６】
2005032726.tif 000008
【図７】
2005032726.tif 000009